(57)【要約】【課題】選別性能の向上、および三番飛散粒の減少を図ると共に、全高を低くして機体をコンパクトにする。【解決手段】主選別風路（６）に沿って選別風を送る主選別ファン（７）と、副選別風路（８）に沿って揺動選別装置（１０）の揺動選別網（１０ａ）の下側から上側へ選別風を送る副選別ファン（９）とを設ける。そして、主選別風路（６）の上側における主選別ファン（７）のファンケイシング（７ａ）の後側上方の位置に副選別ファン（９）を配置し、主選別風路（６）の上側の壁体によって副選別ファン（９）の下側のケイシングを形成する。【選択図】図１
2009100665.tif 000002
【特許請求の範囲】
【請求項１】
主選別風路（６）に沿って選別風を送る主選別ファン（７）と、副選別風路（８）に沿って揺動選別装置（１０）の揺動選別網（１０ａ）の下側から上側へ選別風を送る副選別ファン（９）とを設け、主選別風路（６）の上側における主選別ファン（７）のファンケイシング（７ａ）の後側上方の位置に副選別ファン（９）を配置し、主選別風路（６）の上側の壁体によって副選別ファン（９）の下側のケイシングを形成したことを特徴とするコンバインの脱穀装置。
【請求項２】
前記主選別ファン（７）を走行用ミッションケース（１５）から駆動する構成とし、車速と主選別ファン（７）の回転速度が同調する構成としたことを特徴とする請求項１に記載のコンバインの脱穀装置。
【請求項３】
前記主選別ファン（７）を、走行用ミッションケース（１５）と副選別ファン（９）とのうちのいずれか一方から選択的に駆動する構成とし、主選別ファン（７）の回転速度が低速の一定速度域では、該主選別ファン（７）を副選別ファン（９）側から一定回転速度で駆動し、主選別ファン（７）の回転速度が前記一定速度域を超えた場合には、該主選別ファン（７）を走行用ミッションケース（１５）から車速に同調して駆動する構成としたことを特徴とする請求項２に記載のコンバインの脱穀装置。
【発明の詳細な説明】
【技術分野】
【０００１】
本発明は、コンバインの脱穀装置に関する。
【背景技術】
【０００２】
下記特許文献１に示す脱穀装置は、主選別風路に沿って選別風を圧送する主唐箕と、副選別風路に沿って選別風を圧送する副選別ファンとを設け、該副選別ファンと扱室内に沿って穀稈を送込み供給するフィードチェンと、脱穀後の排藁を搬送処理する排藁搬送装置を車速に応じて変速制御すべく連動構成している。
【特許文献１】特開２００６−３２５５５７号公報
【発明の開示】
【発明が解決しようとする課題】
【０００３】
一番選別棚部を流下する脱穀処理物の風選別と、揺動選別装置の揺動選別網部を落下する脱穀処理物の風選別とに区分けして、主選別ファンにより、該一番選別棚部を流下する脱穀処理物を風選別する。又、該揺動選別装置の揺動選別網部を落下する脱穀処理物を、該主選別ファンの上側部に設けた副選別ファンで風選別する構成である。
【０００４】
上記により、前記主選別ファンの上側部には、該副選別ファンが設けられていることにより、脱穀装置の全高が高くなり、コンバインに全高の高い該脱穀装置を載置すると、安定が悪くなり、転倒することが発生していたが、この問題点を解決しようとするものである。
【課題を解決するための手段】
【０００５】
上述のような課題を解決するために、この発明は、次のような技術手段を講じる。
即ち、請求項１に記載の発明においては、主選別風路（６）に沿って選別風を送る主選別ファン（７）と、副選別風路（８）に沿って揺動選別装置（１０）の揺動選別網（１０ａ）の下側から上側へ選別風を送る副選別ファン（９）とを設け、主選別風路（６）の上側における主選別ファン（７）のファンケイシング（７ａ）の後側上方の位置に副選別ファン（９）を配置し、主選別風路（６）の上側の壁体によって副選別ファン（９）の下側のケイシングを形成したことを特徴とするコンバインの脱穀装置としたものである。
【０００６】
請求項２に記載の発明においては、前記主選別ファン（７）を走行用ミッションケース（１５）から駆動する構成とし、車速と主選別ファン（７）の回転速度が同調する構成としたことを特徴とする請求項１に記載のコンバインの脱穀装置としたものである。
【０００７】
請求項３に記載の発明においては、前記主選別ファン（７）を、走行用ミッションケース（１５）と副選別ファン（９）とのうちのいずれか一方から選択的に駆動する構成とし、主選別ファン（７）の回転速度が低速の一定速度域では、該主選別ファン（７）を副選別ファン（９）側から一定回転速度で駆動し、主選別ファン（７）の回転速度が前記一定速度域を超えた場合には、該主選別ファン（７）を走行用ミッションケース（１５）から車速に同調して駆動する構成としたことを特徴とする請求項２に記載のコンバインの脱穀装置としたものである。
【発明の効果】
【０００８】
請求項１に記載の発明においては、揺動選別網１０ａ部と一番選別棚部とを、それぞれ個別の主選別ファン７と副選別ファン９とによって風選別できることにより、その場所に合った選別風を送風することができて、選別性能の向上、および三番飛散粒の減少を図ることができる。又、主選別風路６の上側における主選別ファン７のファンケイシング７ａの後側上方の位置に副選別ファン９を配置し、主選別風路６の上側の壁体によって副選別ファン９の下側のケイシングを形成したことにより、全高を低くして機体をコンパクトにすることができる。又、重心を低くして機体の横転を防止することができる。
【０００９】
請求項２に記載の発明においては、上記請求項１に記載の発明の効果を奏するうえに、車速と主選別ファン７の回転速度が同調することによって、良好な選別性能を得ることができる。
【００１０】
請求項３に記載の発明においては、上記請求項２記載の発明の効果を奏するうえに、車速に応じて主選別ファン７および副選別ファン９の回転速度を変えることができるので、どのような作業速度でもそのスピードにあった選別風量を得られ、良好な選別性能と、三番飛散粒のロスの低減を図ることができる。更に、走行用ミッションケース１５から主選別ファン７を駆動することにより、伝動構成を簡素化することができる。
【発明を実施するための最良の形態】
【００１１】
以下、本発明の一実施例を図面に基づいて説明する。
コンバイン１の走行装置２の上側には、走行車台３を設け、この走行車台３の前側には、立毛穀稈を刈取りする刈取装置４を設け、該刈取装置４で刈取りした穀稈の供給を受け、この刈取り穀稈を脱穀して選別する脱穀処理装置である脱穀装置５を、該走行車台３の上側面に載置して設けている。
【００１２】
前記脱穀装置５は、脱穀済み処理物を穀粒と、藁屑等とに風選別する主選別風路６に沿って主選別風を圧送する主選別ファン７と、副選別風路８に沿って揺動選別装置１０の揺動選別網１０ａの下側から上側へ副選別風を圧送する副選別ファン９とを設け、該主選別ファン７のファンケイシング７ａの外周前部（Ａ）で該主選別風路６の上側部（Ｂ）には、該副選別ファン９を位置させて設けると共に、該主選別ファン７と該副選別ファン９との境は、該主選別風路６の該上側部（Ｂ）と、該副選別ファン９のファンケイシング９ａの外周下側部（Ｃ）とにより、形成して設けた構成であり、該主選別ファン７と該副選別ファン９等とを主に図示して説明する。
【００１３】
前記コンバイン１の走行車台３の下側には、図１〜４で示すように、土壌面を走行する左右一対の走行クローラ２ａを張設した走行装置２を配設し、走行車台３の上側面に脱穀装置５を載置している。該走行車台３の前方部の刈取装置４で立毛穀稈を刈り取りして、後方上部に移送し、該脱穀装置５のフィードチェン１１と、挟持杆１３とで引継いで挟持移送しながら脱穀する。脱穀済みで選別済み穀粒は、該脱穀装置５の右横側へ配設した穀粒貯留タンク１４内へ供給され、一時貯留される。
【００１４】
前記脱穀装置５は、図１〜図４で示すように、後方上部の脱穀室５ａ内を穀稈を挟持移送するフィードチェン１１と挟持杆１３とを設け、該脱穀室５ａ内には、多種類で多数本の扱歯５ｃを外周部に植設した扱胴５ｂを回転自在に軸支して設け、この扱胴５ｂの各扱歯５ｃの回転外周の下側には、脱穀処理物が漏下する扱室網５ｄを張設している。
【００１５】
前記脱穀室５ａの右横側下部には、この脱穀室５ａ内で未脱穀処理物（二番処理物）の供給を受けて再脱穀処理する外周部に、複数個の二番処理爪１２ｂを装着した二番処理胴１２ａを回転自在に軸支内装した二番処理室１２を設け、この二番処理室１２の該脱穀室５ａ側には、二番処理網１２ｃを張設している。
【００１６】
前記脱穀室５ａの該扱室網５ｄの下側には、揺動して穀粒と藁屑等とに区分する揺動選別装置１０を設け、この揺動選別装置１０の下部には、揺動選別物を最終選別する揺動選別網１０ａを張設している。
【００１７】
前記揺動選別装置１０の下側後部には、図１、及び図２で示すように、主選別風路６に沿って、主選別風を圧送する主選別ファン７と、副選別風路８に沿って、該揺動選別装置１０の揺動選別網１０ａの下側から上側へ向けて副選別風を圧送する副選別ファン９とを設けている。
【００１８】
前記主選別ファン７のファンケイシング７ａの外周前部（Ａ）で、該主選別風路６の上側部（Ｂ）には、該副選別ファン９を位置させて設けると共に、該主選別ファン７と該副選別ファン９との境は、該主選別風路６の該上側部（Ｂ）と、該副選別ファン９のファンケイシング９ａの外周下側部（Ｃ）とにより、形成して設けている。
【００１９】
前記主選別ファン７は、主ファン軸７ｂの左右両側に側面視十文字形状の主ファン受具７ｃを軸支して設け、これら各主ファン受具７ｃの回転外周の先端部４箇所には、各主ファン羽根７ｄを設けている。又、該副選別ファン９は、副ファン軸９ｂの左右両側に側面視十文字形状の副ファン受具９ｃを軸支して設け、これら受具９ｃの回転外周の先端部４箇所には、各副ファン羽根９ｄを設けている。
【００２０】
前記脱穀装置５へ供給されて、脱穀された穀稈の脱穀済み脱穀物の選別は、主選別風路６に沿って、主選別ファン７から発生して圧送される主選別風と、副選別風路８に沿って、該揺動選別装置１０の揺動選別網１０ａの下側から上側へ副選別ファン９から発生して圧送される副選別風により、穀粒と藁屑とに分離選別され、穀粒は機外の所定位置へ回収される。又、藁屑等は、機外の所定位置へ吸引ファン１０ｂによって排出される。
【００２１】
前記主選別ファン７と、該副選別ファン９との装着位置は、該前記主選別ファン７のファンケイシング７ａの外周前部（Ａ）で、該主選別風路６の上側部（Ｂ）には、該副選別ファン９を位置させて設けると共に、該主選別ファン７と該副選別ファン９との境は、該主選別風路６の該上側部（Ｂ）と、該副選別ファン９のファンケイシング９ａの外周下側部（Ｃ）とにより、形成して設けたことにより、該揺動選別網１０ａ部と一番選別棚６ａ部とを、それぞれ個別の該主選別ファン７と、該副選別ファン９とにより、圧送される主選別風と副選別風とにより、選別されることにより、その場所に合った選別風を送風することができて、選別性能の向上、三番飛散粒の減少を図ることができる。又、該主選別ファン７の上方前部に該副選別ファン９を重合させて設けたことにより、全高を低くできて機体５ｅをコンパクトにすることができる。又、この脱穀装置５をコンバイン１、及びハーベスタ等に載置したときに、全高が低いことにより、これらコンバイン１、及びハーベスタ等の横転を防止することができる。
【００２２】
図１、及び図２で示すように、前記主選別風路６に沿って、主選別風を圧送する主選別ファン７と、副選別風路８に沿って、揺動選別装置１０の揺動選別網１０ａの下側から上側へ副選別ファン９で副選別風を圧送すべく設けている。
【００２３】
又、前記主選別ファン７を回転駆動させる回転駆動出力は、走行用ミッションケース１５から出力される。更に、走行車速に対して該主選別ファン７の回転数の変更制御は、操作装置１６に内装して設けた制御装置１７によって行われる構成である。これにより、伝動構成が簡単である。又、作業速度に対して、該主選別ファン７の風量を制御できることで、良好な選別性能を得ることができる。
【００２４】
図１、及び図２で示すように、前記主選別風路６に沿って、主選別風を圧送する主選別ファン７と、副選別風路８に沿って揺動選別装置１０の揺動選別網１０ａの下側から上側へ副選別風を圧送する副選別ファン９とを設けた構成である。
【００２５】
前記主選別ファン７への回転駆動出力は、走行用ミッションケース１５と、脱穀装置５の副選別ファン９から出力すべく設けている。又、該主選別ファン７の回転駆動出力が低速の一定回転域は、該脱穀装置５より出力し、低速の一定回転域より高速の回転域では、該走行用ミッションケース１５から出力し、走行車速に対して該主選別ファン７の回転数を変更制御する制御装置１７により、変更制御すべく設けたことにより、該揺動選別網１０ａ部と一番選別棚６ａ部とを、それぞれの該主選別ファン７と、該副選別ファン９とにより送風することにより、選別性能の向上を図ることができる。又、三番飛散粒の減少を図ることができる。
【００２６】
更に、作業速度により、前記各ファン７、９の回転数が変更されることができるので、いずれの作業速度でもそのスピードにあった風量を得られ、良好な選別と、三番飛散粒のロスの低減を図ることができる。該走行用ミッションケース１５から該主選別ファン７を伝動することにより、簡単な構成で容易に作業速に風量を調節することができる。
【００２７】
前記主選別ファン７の主ファン軸７ｂの一方側軸端部には、図３で示すように、該主ファン軸７ｂの回転駆動を「入」−「切」するクラッチ３０を設け、このクラッチ３０の「入」−「切」は主変速レバー３１ａ、又は刈取クラッチレバー３１ｂの「入」−「切」操作により可能とした構成である。１５ｃは副変速ギャーケースであり、１５ｄは油圧式無段変速装置である。
【００２８】
これにより、旋回時、又は枕扱ぎ時などの低流時に、主選別ファン７の回転を容易に停止操作できることにより、三番飛散粒の減少を図ることができる。
図３で示すように、前記油圧式無段変速装置１５ｄ付きの走行用ミッションケース１５において、該油圧式無段変速装置１５ｄの出力軸１５ｅから副変速ギャーケース１５ｃまでの間で、主選別ファン７への伝導を行うようにした構成である。
【００２９】
これにより、作業速度により、前記主選別ファン７の回転を変えることができるので、どの作業速度でもスピードにあった主変速風量が得られ、良好な選別性能と三番飛散ロスの低減ができる。又、倒伏、及び多条刈りの時に使用する副変速が低速の時は、作業速に対して選別風量が多くなるので、選別性能の低下を防止できる。
【００３０】
図６で示すように、前記主選別ファン７のファンケイシング７ａと、副選別ファン９のファンケイシング９ａとの上側部には、所定の隙間を設けて上空間室３２を上ケイシング３２ａで形成して設けると共に、又、該主選別ファン７の該ファンケイシング７ａの下端部と、該副選別ファン９の該ファンケイシング９ａの下側部には、所定の隙間を設けて下空間室３２を下ケイシング３２ａで形成して設けている。
【００３１】
前記上空間室３２と、下空間室３２との前方部には、エンジン１６ｂの排気ガスを吸入させる吸入孔３３ａと、該排気ガスを機体５ｅ外へ排出する排出孔３３ｂとを設け、該主選別ファン７部と、該副選別ファン９部から発生する選別風の温度の上昇を図っている。
【００３２】
これにより、選別風の温度上昇により、穀稈に対する条件適応性の向上を図っている。
図６で示すように、前記主選別ファン７の上側には、エンジン１６ｂに取付具３４ａを介して設けたマフラー３４を位置させて設け、該マフラー３４の取付具３４ａの前側には、排気口３４ｂを位置させて設けている。
【００３３】
前記副選別ファン９の上下方向位置を下方に位置させることにより、脱穀装置５の機体５ｅを低くすることができる。又、主選別ファン７と、該副選別ファン９との上部の空間にマフラ３４を設けたことにより、構成が簡単である。
【００３４】
前記副選別ファン９の排風口３５の巾を図７で示すように、上下方向の中間部で二分割して、上側部の角度を（θ１）とし、下側部の角度を（θ２）として略同じ巾に形成して、この中間線上に風割３６の下側面部を位置させて設け、この風割３６の下側面の延長線上で、揺動選別装置１０の揺動選別網１０ａを、下方へ所定寸法折り曲げ後に、略垂平に戻した構成である。
【００３５】
これにより、選別風の前記揺動選別装置１０の揺動選別網１０ａ部へ均等に送風して、選別性能の向上を図っている。
前記副選別ファン９の排風口３５を形成する。該副選別ファン９の排風口上板９ｅの延長線上を、図８で示すように、吸引ファン１０ｂの吸塵口１０ｃの略中央部に位置させて設けている。
【００３６】
これにより、前記副選別ファン９で発生する選別風を、該吸引ファン１０ｂで機外へ排風できることにより、脱穀装置５の機内で選別風の吹き上がりによる処理物の溜りを防止することができる。
【００３７】
前記走行車台３の前方部には、図４で示すように、立毛穀稈を分離するナローガイド１８、及び各分草体１９と、立毛穀稈を引起す各引起装置２０と、引起された穀稈を掻込みする穀稈掻込移送装置２１の各掻込装置２２と、掻込された穀稈を刈取る刈刃装置２３と、刈取りされた穀稈を挟持移送して脱穀装置５のフィードチェン１２と、挟持杆１３とへ受渡しする該穀稈掻込移送装置２１の根元・穂先移送装置２４・２５等からなる刈取装置４を設けている。該刈取装置４は、油圧駆動による伸縮シリンダ２６により、土壌面に対して昇降する。
【００３８】
前記刈取装置４の前方下部から後方上部へ傾斜する支持杆２７ａの上端部に設ける支持パイプ杆２７ｂを、走行車台３の上側面に設けた支持装置２７ｃで回動自在に支持させている。前記伸縮シリンダ２６を作動させると支持杆２７ａと共に、刈取装置４が上下回動する。
【００３９】
前記刈取装置４の穀稈掻込移送装置２１によって形成される穀稈移送経路中には、刈取られて移送する穀稈に接触作用することにより、脱穀装置５への穀稈の供給の有無を検出する穀稈センサ４ａを該刈取装置４に設けている。
【００４０】
前記穀粒貯留タンク１４側の前部には、図４で示すように、コンバイン１を始動、停止、及び各部を調節等の操作を行う操作装置１６と、操縦席１６ａとを設け、この操縦席１６ａの下側にエンジン１６ｂを載置している。
【００４１】
前記走行車台３の前端部に装架した走行用ミッションケース１５内の伝動機構１５ａの伝動経路中には、その出力に基づいて、走行車速を検出するポテンションメータ方式の車速センサ１５ｂを設けている。
【００４２】
前記穀粒貯留タンク１４内へ貯留した穀粒を機外へ排出するこの穀粒貯留タンク１４の後側には、図４で示すように、縦移送螺旋２８ａを内装した排出支持筒２８を略垂直姿勢で旋回自在に装着して設け、この排出支持筒２８の上端部には、その全長がコンバイン１の前後長に亘る機外へ穀粒を排出する排出螺旋２９ａを伸縮自在に内装した排出オーガ２９を伸縮自在、上下回動自在、及び左右旋回自在に前後方向に配設している。
【００４３】
前記縦移送螺旋２８ａ内装した排出支持筒２８を略垂直姿勢で旋回自在に装着して設け、この排出支持筒２８の上端部には、図９で示すように、排出オーガ３７で設けている。
前記排出オーガ３７は、根元部に根移送螺旋３８ａを軸支内装した固定方式の根元移送筒３８を設け、この根元移送筒３８の内径の一部と、移動用移送螺旋３９ａを軸支内装した移動用移送筒３９の内周部の一部とを、該根元移送筒３８の外周部へ伸縮自在に挿入している。該移動用移送筒３９の伸縮移動を、移動用モータ３９ｂと、移動螺旋軸３９ｃとにより、移動操作する構成である。この移動螺旋軸３９ｃの先端部にポテンションメータ３９ｄを設け、移動用移送筒３９の伸張状態を検出する構成である。
【００４４】
前記穀粒貯留タンク１４の底部に軸支したタンク移送螺旋１４ａには、ベルコンプーリ１４ｂを軸支し、このベルコンプーリ１４ｂを、該穀粒貯留タンク１４に設けたモータ４０は制御装置１７で回転制御されると共に、この回転制御により、該制御装置１７で多動用モータ３９ｂが回転制御される。移動用移送筒３９が長伸張に制御されている状態の時には、排出能力が向上制御される構成である。又、短伸張に制御されている時には、排出能力が低下制御される構成である。
【００４５】
前記穀粒貯留タンク１４のタンク移送螺旋１４ａの上部に略半円形状の円形状板２個を設けると共に、これら円形状板を左右方向に移動させて穀粒流下量を規制する構成とするもよい。
【００４６】
これにより、前記排出オーガ３７の排出能力に見合った穀粒排出を行うことができる。又、伸縮位置に応じた最大排出が可能である。
図１０で示すように、穀粒を機外へ排出する縦移送螺旋２８ａを軸支内装した排出支持筒２８の上端部には、排出オーガ３７を設け、この排出オーガ３７には、根元移送螺旋３８ａを軸支内装した根元移送筒３８と、この根元移送筒３８の外周部に、移動用移送螺旋３９ａを軸支内装した移動用移送筒３９を設け、この移動用移送筒３９の先端部には、排出筒３９ｃを設け、この排出筒３９ｃの前側面には、ポテンションメータ４０ａと、スイングモータ４０ｂとを設けている。該ポテンションメータ４０ａに設けた接続用コード４０ｃと、スイングモータ４０ｂに設けた接続用コード４０ｄとは、操作装置１６に内装した制御装置１７に接続させている。
【００４７】
又、ＯＮ−ＯＦＦ方式のスイングスイッチ４１に設けた接続用コード４１ａと、ＯＮ−ＯＦＦ方式の排出スイッチ４２に設けた接続用コード４２ａとは、該制御装置１７に接続させている。
【００４８】
前記オーガ軸４６ａに軸支したオーガ駆動プーリ４６ｂと、排出軸４５ａに軸支した排出プーリ４５ｂとに掛け渡したベルト４７には、ベルトテンション装置４４を設け、該ベルト４７を駆動、又は停止する構成である。
【００４９】
前記ベルトテンション装置４４と、排出クラッチモータ４３のモータ軸４３ａに設けたモータアーム４３ｂとの間には、図１０で示すように、ワイヤ４３ｃを設けて接続させ、該排出クラッチモータ４３に設けた接続用コード４３ｄは、該制御装置１７に接続させて設け、該排出スイッチ４２の「ＯＮ」−「ＯＦＦ」操作により、排出クラッチモータ４３を「始動」−「停止」制御して穀粒の排出を「停止」、又は「排出」を続行する構成である。
【００５０】
これにより、排出クラッチ牽制制御関連の部品が故障した場合に、通常行わない操作をすることで、制御が解除され、排出が可能になる。
【図面の簡単な説明】
【００５１】
【図１】脱穀装置の要部を破断して示す説明用側面図
【図２】脱穀装置の一部を破断して示す説明用背面図
【図３】コンバインの伝動機構の説明図
【図４】コンバインの全体側面図
【図５】コンバインの伝動機構と一部の操作系の説明図
【図６】主選別ファンと副選別ファンの構成を示す説明用側面図
【図７】主選別風路と副選別風路とを示す説明用側面図
【図８】副選別ファンの排風口上板と吸引ファンの吸塵口との関係を示す説明用側面図
【図９】穀粒排出装置の説明図
【図１０】粒排出装置の説明図
【符号の説明】
【００５２】
６    主選別風路
７    主選別ファン
７ａ  ファンケイシング
８    副選別風路
９    副選別ファン
１０    揺動選別装置
１０ａ  揺動選別網
１５    走行用ミッションケース
【図１】
2009100665.tif 000003
【図２】
2009100665.tif 000004
【図３】
2009100665.tif 000005
【図４】
2009100665.tif 000006
【図５】
2009100665.tif 000007
【図６】
2009100665.tif 000008
【図７】
2009100665.tif 000009
【図８】
2009100665.tif 000010
【図９】
2009100665.tif 000011
【図１０】
2009100665.tif 000012